【手続補正書】
【提出日】平成30年6月13日(2018.6.13)
【手続補正１】
【補正対象書類名】特許請求の範囲
【補正対象項目名】全文
【補正方法】変更
【補正の内容】
【特許請求の範囲】
【請求項１】
クラウドコンピューティング環境においてクラウドホストを削除する方法であって、
クラウドホストを完全に削除する要求を受信するステップ、
前記クラウドホストを完全に削除する要求に応じて削除命令を生成するステップ、
前記削除命令を完全消去サーバに送信して、前記完全消去サーバが前記削除命令に従って対応するホストマシンにある完全消去デーモンプロセスを呼び出し、前記完全消去デーモンプロセスによって前記ホストマシンにある削除する必要のある前記クラウドホストを削除するステップ、
を含み、
前記クラウドホストを完全に削除する要求を受信した後、
ユーザの選択操作を受信し、前記選択操作に従って削除する必要のあるクラウドホスト及び対応する消去方式を決定するステップ、
前記クラウドホストを完全に削除する要求に応じて、前記対応するホストマシンにある削除する必要のある前記クラウドホストを停止するステップ、
を含むことを特徴とするクラウドコンピューティング環境においてクラウドホストを削除する方法。
【請求項２】
前記削除命令を完全消去サーバに送信して、前記完全消去サーバが前記削除命令に従って前記対応するホストマシンにある完全消去デーモンプロセスを呼び出し、前記完全消去デーモンプロセスによって前記ホストマシンで削除する必要のあるクラウドホストを削除するステップは、
前記削除命令を前記完全消去サーバに送信して、前記完全消去サーバが前記削除命令を前記ホストマシンにある前記完全消去デーモンプロセスに転送するステップ、
前記完全消去デーモンプロセスが、前記削除命令に従って削除する必要のある前記クラウドホストに対応するファイルを消去キューに追加し、対応する消去タスクを生成するステップ、
前記完全消去デーモンプロセスによって、前記消去キューの前記消去タスクを低優先度に設定するステップ、
前記完全消去デーモンプロセスが、削除する必要のある前記クラウドホストに対応する消去方式に従って、低優先度の前記消去キューにある前記消去タスクをそれぞれ実行するステップ、
を含むことを特徴とする請求項１に記載のクラウドコンピューティング環境においてクラウドホストを削除する方法。
【請求項３】
前記完全消去サーバから送信された消去完了命令を受信するステップ、
前記消去完了命令に従って前記ホストマシンにある削除する必要のある前記クラウドホストに対応する仮想マシンを削除するステップ、
を含むことを特徴とする請求項２に記載の方法。
【請求項４】
ディスク容量、削除する必要のある前記クラウドホストが占有するスペース、及び前記対応する消去方式に基づき、ディスクＩ／Ｏリソース消耗量を特定するステップを含むことを特徴とする請求項１に記載のクラウドコンピューティング環境においてクラウドホストを削除する方法。
【請求項５】
クラウドコンピューティング環境においてクラウドホストを削除する装置であって、
クラウドホストを完全に削除する要求を受信する受信モジュール、
前記クラウドホストを完全に削除する要求に応じて削除命令を生成する生成モジュール、
前記削除命令を完全消去サーバに送信して、前記完全消去サーバが前記削除命令に従って対応するホストマシンにある完全消去デーモンプロセスを呼び出し、前記完全消去デーモンプロセスによって前記ホストマシンにある削除する必要のある前記クラウドホストを削除する消去モジュール、
を備え、
ユーザの選択操作を受信し、前記選択操作に従って削除する必要のある前記クラウドホスト及び対応する消去方式を決定する決定モジュール、
前記クラウドホストを完全に削除する要求に応じて、前記対応するホストマシンにある削除する必要のある前記クラウドホストを停止する停止モジュール、
を備えることを特徴とするクラウドコンピューティング環境においてクラウドホストを削除する装置。
【請求項６】
前記消去モジュールは、
前記削除命令を前記完全消去サーバに送信して、前記完全消去サーバが前記削除命令を前記ホストマシンにある前記完全消去デーモンプロセスに転送させる送信ユニット、
前記完全消去デーモンプロセスが前記削除命令に従って削除する必要のある前記クラウドホストに対応するファイルを消去キューに追加し、対応する消去タスクを生成させる追加ユニット、
前記完全消去デーモンプロセスによって、前記消去キューの前記消去タスクを低優先度に設定する設定ユニット、
前記完全消去デーモンプロセスが削除する必要のある前記クラウドホストに対応する前記消去方式に従って、低優先度の前記消去キューにおける前記消去タスクをそれぞれ実行させる実行ユニット、
を備えることを特徴とする請求項５に記載のクラウドコンピューティング環境においてクラウドホストを削除する装置。
【請求項７】
クラウドコンピューティング環境においてクラウドホストを削除するサーバであって、
命令が記憶されるメモリ及びプロセッサを備え、前記命令が前記プロセッサによって実行される際に、前記プロセッサに、
クラウドホストを完全に削除する要求を受信するステップ、
前記クラウドホストを完全に削除する要求に応じて削除命令を生成するステップ、
前記削除命令を完全消去サーバに送信して、前記完全消去サーバが前記削除命令に従って対応するホストマシンにある完全消去デーモンプロセスを呼び出し、前記完全消去デーモンプロセスによって前記ホストマシンにある削除する必要のある前記クラウドホストを削除するステップ、
を実行させ、
前記命令が前記プロセッサによって実行される際に、前記クラウドホストを完全に削除する要求を受信するステップを実行した後、前記プロセッサに、
ユーザの選択操作を受信し、前記選択操作に従って削除する必要のある前記クラウドホスト及び対応する消去方式を決定するステップ、
前記クラウドホストを完全に削除する要求に応じて、対応するホストマシンにある削除する必要のある前記クラウドホストを停止するステップ、
を実行させることを特徴とするサーバ。
【請求項８】
前記削除命令を完全消去サーバに送信して、前記完全消去サーバが前記削除命令に従って前記対応するホストマシンにある前記完全消去デーモンプロセスを呼び出し、前記完全消去デーモンプロセスによって前記ホストマシンで削除する必要のある前記クラウドホストを削除するステップは、
前記削除命令を前記完全消去サーバに送信して、前記完全消去サーバが前記削除命令を前記ホストマシンにある前記完全消去デーモンプロセスに転送するステップ、
前記完全消去デーモンプロセスが、前記削除命令に従って削除する必要のある前記クラウドホストに対応するファイルを前記消去キューに追加し、対応する消去タスクを生成するステップ、
前記完全消去デーモンプロセスによって、前記消去キューの前記消去タスクを低優先度に設定するステップ、
前記完全消去デーモンプロセスが、削除する必要のある前記クラウドホストに前記対応する消去方式に従って、低優先度の前記消去キューにおける前記消去タスクをそれぞれ実行するステップ、
を含むことを特徴とする請求項７に記載のサーバ。
【請求項９】
コンピュータ実行可能な命令を記憶する１つ又は複数の読取可能な不揮発性記憶媒体であって、
前記コンピュータ実行可能な命令が１つ又は複数のプロセッサによって実行される際に、前記１つ又は複数の前記プロセッサに、
クラウドホストを完全に削除する要求を受信するステップ、
前記クラウドホストを完全に削除する要求に応じて削除命令を生成するステップ、
前記削除命令を完全消去サーバに送信して、前記完全消去サーバが前記削除命令に従って対応するホストマシンにある完全消去デーモンプロセスを呼び出し、前記完全消去デーモンプロセスによって前記ホストマシンにある削除する必要のある前記クラウドホストを削除するステップ、
を実行させ、
前記コンピュータ実行可能な命令が前記１つ又は複数のプロセッサによって実行される際に、前記クラウドホストを完全に削除する要求を受信するステップを実行した後、前記１つ又は複数の前記プロセッサに、
ユーザの選択操作を受信し、前記選択操作に従って削除する必要のあるクラウドホスト及び前記対応する消去方式を決定するステップ、
前記クラウドホストを完全に削除する要求に応じて、前記対応するホストマシンにある削除する必要のある前記クラウドホストを停止するステップ、
を実行させることを特徴とする読取可能な不揮発性記憶媒体。